(57)【要約】【課題】簡易な構成によって、静電気などの外乱ノイズによる放電管の誤発光を防止する。【解決手段】外装３０１の開口３０１ａに透光性のパネル３０２が配置されて、開口３０１ａがパネル３０２で塞がれている。外装３０１の内部には、放電管２０４、反射笠２０５及びトリガコイル２１３が配置されている。導体３０３が、外装３０１とパネル３０２との隙間に沿って配置されている。この導体３０３は、外来ノイズを受けたときに、放電管２０４の陽極端子２４１及び陰極端子２４２のうち、少なくとも一方の電極端子に外来ノイズを放電するものである。【選択図】図３
2015025970.tif 000002
【特許請求の範囲】
【請求項１】
開口を有する外装と、
前記外装の開口を塞ぐ透光性のパネルと、
陽極端子及び陰極端子を有し、前記外装に収納され、トリガ電圧により励起された状態で前記陽極端子と前記陰極端子との間に電圧が印加されることにより発光する放電管と、
前記外装に収納され、トリガ電圧が印加されることにより前記放電管を励起すると共に、前記放電管より発せられた光を前記パネルの側に反射する導電性の反射笠と、
前記放電管の陽極端子に電気的に導通する第１端子、及びグラウンド導体に電気的に導通する第２端子を有し、前記放電管を発光させるための電気エネルギーを蓄える主コンデンサと、
１次コイル、前記１次コイルに磁気結合した２次コイル、前記１次コイルの一端が接続された１次側端子、前記２次コイルの一端が接続され、前記１次側端子を通じて前記１次コイルに通電されることにより前記２次コイルに誘起したトリガ電圧を前記反射笠に出力する２次側端子、並びに前記１次コイルの他端及び前記２次コイルの他端が接続され、前記グラウンド導体に電気的に導通するグラウンド端子を有し、前記外装に収納されたトリガコイルと、
前記放電管の陰極端子に電気的に導通する主端子、前記グラウンド導体に電気的に導通する基準端子、及び制御信号の入力を受ける制御端子を有し、前記制御信号に応じてオンオフすることにより、前記トリガコイルの１次側端子への通電を制御すると共に、前記放電管への通電を制御するスイッチング素子と、
前記外装と前記パネルとの隙間に沿って配置され、外来ノイズを受けたときに、前記陽極端子及び前記陰極端子のうち、少なくとも一方の電極端子に前記外来ノイズを放電する導体と、を備えたことを特徴とする閃光装置。
【請求項２】
前記少なくとも一方の電極端子と前記導体との間の最短距離が、前記少なくとも一方の電極端子と、前記反射笠、前記１次側端子、前記２次側端子及び前記グラウンド端子のそれぞれとの間の最短距離よりも小さいことを特徴とする請求項１に記載の閃光装置。
【請求項３】
前記導体は、
前記隙間に沿って配置された本体部と、
前記本体部から前記少なくとも一方の電極端子に向かって突出する突出部と、を有することを特徴とする請求項２に記載の閃光装置。
【請求項４】
前記突出部は、先端が先細る形状に形成されていることを特徴とする請求項３に記載の閃光装置。
【請求項５】
前記本体部は、無端状であることを特徴とする請求項３又は４に記載の閃光装置。
【請求項６】
前記本体部は、前記外装と前記パネルとの間に挟まれていることを特徴とする請求項３乃至５のいずれか１項に記載の閃光装置。
【請求項７】
前記少なくとも一方の電極端子は、前記導体に向かって突出する突出片を有することを特徴とする請求項２乃至６のいずれか１項に記載の閃光装置。
【請求項８】
前記突出片は、先端が先細る形状に形成されていることを特徴とする請求項７に記載の閃光装置。
【請求項９】
前記少なくとも一方の電極端子が、前記陽極端子であることを特徴とする請求項１乃至８のいずれか１項に記載の閃光装置。
【請求項１０】
請求項１乃至９のいずれか１項に記載の閃光装置を備えたことを特徴とする撮像装置。
【請求項１１】
撮像装置と、
前記撮像装置に電気的に接続された、請求項１乃至９のいずれか１項に記載の閃光装置と、を備えたことを特徴とする撮像システム。
【発明の詳細な説明】
【技術分野】
【０００１】
本発明は、放電管を備えた閃光装置、閃光装置を備えた撮像装置、及び閃光装置を備えた撮像システムに関する。
【背景技術】
【０００２】
デジタルカメラや銀塩写真式カメラ等の撮像装置では、被写体が暗い場合に対処するために、撮像装置のシャッター操作と連動して発光する閃光装置を用いることが知られている。閃光装置には様々な形態が存在し、例えば撮像装置の本体内に内蔵され、必要に応じて閃光装置をポップアップするポップアップ型や、撮像装置本体が備える専用のインターフェースに装着する外付け型が知られている。
【０００３】
閃光装置は閃光を発するために、放電管のガラス部に高電圧を励起することで放電管の内部のガスをイオン化し、そのうえで、放電管の両極に電圧を印加する必要がある。そのため、放電管のガラス部に接触した金属部材とその金属部材に接続される部品や、放電管の両極に接続された電極端子、放電管内部には、多くの金属部材が用いられている。
【０００４】
多機能化や小型化、軽量化が進められてきたカメラにおいて、これらの金属部材とカメラ外部との距離はいっそう近くなっている。また、低コスト化を図るため、カメラの外装を非導電性の部材にすることも現在行われている。そのため、静電気等の外来ノイズが外部から隙間を介して金属部材へ侵入し、閃光装置が誤発光してしまうことがあった。
【０００５】
そこで、放電管の発光制御装置において、放電管を発光させるタイミングであることを示す発光信号が出力されている時、放電管の発光用の電力を供給する電力供給路を接続するスイッチング素子を設ける技術が提案されている（特許文献１参照）。この特許文献１によれば、発光信号が出力されていない時、放電管の発光用の電力を供給する電力供給路は、スイッチング素子により遮断される。
【先行技術文献】
【特許文献】
【０００６】
【特許文献１】特開２００４−２４００８５号公報
【発明の概要】
【発明が解決しようとする課題】
【０００７】
しかしながら、上記特許文献１では、放電管の発光動作を制御するスイッチング素子以外に、発光の直前まで放電管への電力供給を遮断するスイッチング素子、及びこのスイッチング素子を制御する制御装置が必要であった。このため、上記特許文献１では、スイッチング素子、及びスイッチング素子を制御する制御装置が必要な分、閃光発生動作時の制御が複雑化する、実装スペースが増加する、コストが増加するといった種々の問題があった。したがって、放電管への電力供給を遮断するスイッチング素子を用いなくても、静電気放電による放電管の誤発光を防ぐことができるものが望まれていた。
【０００８】
そこで、本発明は、簡易な構成によって、静電気などの外乱ノイズによる放電管の誤発光を防止する閃光装置、撮像装置及び撮像システムを提供することにある。
【課題を解決するための手段】
【０００９】
本発明の閃光装置は、開口を有する外装と、前記外装の開口を塞ぐ透光性のパネルと、陽極端子及び陰極端子を有し、前記外装に収納され、トリガ電圧により励起された状態で前記陽極端子と前記陰極端子との間に電圧が印加されることにより発光する放電管と、前記外装に収納され、トリガ電圧が印加されることにより前記放電管を励起すると共に、前記放電管より発せられた光を前記パネルの側に反射する導電性の反射笠と、前記放電管の陽極端子に電気的に導通する第１端子、及びグラウンド導体に電気的に導通する第２端子を有し、前記放電管を発光させるための電気エネルギーを蓄える主コンデンサと、１次コイル、前記１次コイルに磁気結合した２次コイル、前記１次コイルの一端が接続された１次側端子、前記２次コイルの一端が接続され、前記１次側端子を通じて前記１次コイルに通電されることにより前記２次コイルに誘起したトリガ電圧を前記反射笠に出力する２次側端子、並びに前記１次コイルの他端及び前記２次コイルの他端が接続され、前記グラウンド導体に電気的に導通するグラウンド端子を有し、前記外装に収納されたトリガコイルと、前記放電管の陰極端子に電気的に導通する主端子、前記グラウンド導体に電気的に導通する基準端子、及び制御信号の入力を受ける制御端子を有し、前記制御信号に応じてオンオフすることにより、前記トリガコイルの１次側端子への通電を制御すると共に、前記放電管への通電を制御するスイッチング素子と、前記外装と前記パネルとの隙間に沿って配置され、外来ノイズを受けたときに、前記陽極端子及び前記陰極端子のうち、少なくとも一方の電極端子に前記外来ノイズを放電する導体と、を備えたことを特徴とする。
【発明の効果】
【００１０】
本発明によれば、外装とパネルとの隙間に侵入した外乱ノイズは、導体に到達し、放電管の陽極端子及び陰極端子のうち少なくとも一方の電極端子に放電される。陽極端子に放電された場合は主コンデンサに充電され、陰極端子に放電された場合はスイッチング素子の寄生抵抗により消費されるので、グラウンド電位の変動が抑制され、スイッチング素子の誤動作を防止することができる。したがって、放電管の誤発光を防止することができる。
【図面の簡単な説明】
【００１１】
【図１】第１実施形態に係る撮像装置としてのカメラを示す斜視図。
【図２】第１実施形態に係る閃光装置を示す回路図。
【図３】閃光装置のストロボユニットを示す断面図。
【図４】導体と、陰極端子、反射笠、１次側端子、２次側端子及びグラウンド端子との距離の関係を示す説明図。
【図５】第１実施形態の閃光装置における静電気放電の経路を示す説明図。
【図６】ストロボユニットの要部のみを示す斜視図。
【図７】実験に用いた回路及び実験結果を示す説明図。
【図８】第２実施形態に係る閃光装置を示す説明図。
【図９】第３実施形態に係る閃光装置のストロボユニットを示す断面図。
【図１０】第４実施形態に係る閃光装置のストロボユニットを示す断面図。
【図１１】第５実施形態に係る閃光装置のストロボユニットを示す断面図。
【図１２】第６実施形態に係る閃光装置のストロボユニットを示す断面図。
【図１３】第７実施形態に係る閃光装置を備えた撮像システムを示す斜視図。
【図１４】比較例の閃光装置を示す回路図。
【発明を実施するための形態】
【００１２】
以下、本発明を実施するための形態を、図面を参照しながら詳細に説明する。
【００１３】
［第１実施形態］
図１は、本発明の第１実施形態に係る撮像装置としてのカメラを示す斜視図である。カメラ１００は、デジタルスチルカメラや銀塩フィルム用カメラ等であり、撮像装置本体としてのカメラ本体１０１と、カメラ本体１０１に設けられた閃光装置と、カメラ本体１０１に着脱可能に設けられたレンズ鏡筒１０３と、を備えている。図１では、閃光装置の一部である放電管を有するストロボユニット１０２が閉状態で図示されている。ストロボユニット１０２は、カメラ本体１０１の上部に開閉可能に設けられており、ストロボユニット１０２を開状態に操作すると、発光面（後述するパネル）がカメラ本体１０１の前方に露出するようになっている。カメラ本体１０１には、レリーズボタン１０４と、撮影モードを変更するためのダイヤル１０５とが設けられている。また、カメラ本体１０１には、使用者によるレリーズボタン１０４の操作をトリガとして、撮影モードに応じて放電管の発光／非発光を制御するコントローラ（不図示）が設けられている。
【００１４】
図２は、本発明の第１実施形態に係る閃光装置を示す回路図である。閃光装置２００は、不図示の直流電源（電池等）に接続された電源昇圧回路２０１と、主コンデンサ２０２と、トリガ回路２０３と、放電管２０４と、反射笠２０５とを備えている。また、閃光装置２００は、倍電圧回路２０６と、スイッチング素子であるＩＧＢＴ（Insulated  Gate  Bipolar  Transistor：ゲート絶縁型バイポーラトランジスタ）２０７とを備えている。
【００１５】
トリガ回路２０３は、充電用の抵抗器２１１、トリガコンデンサ２１２及びトリガコイル２１３を有して構成される。倍電圧回路２０６は、コンデンサ２２１、ダイオード２２２及び抵抗器２２３を有して構成される。
【００１６】
トリガコイル２１３は、１次コイル２３１と、１次コイル２３１に磁気結合した２次コイル２３２と、１次コイル２３１の一端が電気的に接続された１次側端子２３３と、２次コイル２３２の一端が電気的に接続された２次側端子２３４とを有している。また、トリガコイル２１３は、１次コイル２３１の他端及び２次コイル２３２の他端が電気的に接続されたグラウンド端子２３５を有している。
【００１７】
放電管２０４は、ガラス管内に配置された陽極に電気的に接続された陽極端子２４１と、ガラス管内に配置された陰極に電気的に接続された陰極端子２４２とを有している。ＩＧＢＴ２０７は、主端子であるコレクタ端子２５１と、基準端子であるエミッタ端子２５２と、制御端子であるゲート端子２５３とを有している。
【００１８】
放電管２０４は、Ｘｅ管等であり、トリガ電圧により励起された状態で陽極端子２４１と陰極端子２４２との間に電圧が印加されることにより発光するよう構成されている。
【００１９】
反射笠２０５は、導電性を有する金属で形成され、トリガ電圧が印加されることにより放電管２０４を励起する共に、放電管２０４より発せられた光を反射するものである。
【００２０】
主コンデンサ２０２は、第１端子としての正極端子２６１及び第２端子としての負極端子２６２を有しており、放電管２０４を発光させるための電気エネルギーを蓄えるものである。
【００２１】
電源昇圧回路２０１には、主コンデンサ２０２が並列接続されている。具体的には、電源昇圧回路２０１の正極端子に、主コンデンサ２０２の正極端子２６１が電気的に接続され、電源昇圧回路２０１の負極端子に、主コンデンサ２０２の負極端子２６２がグラウンド導体２７０を介して電気的に接続されている。なお、このグラウンド導体２７０は、不図示のプリント配線板に形成されたグラウンド導体パターンである。主コンデンサ２０２には、電源昇圧回路２０１により、放電管２０４を発光させるための電気エネルギーが蓄えられる。
【００２２】
トリガ回路２０３において、抵抗器２１１、トリガコンデンサ２１２及びトリガコイル２１３の１次コイル２３１は、直列に接続されており、この直列回路が主コンデンサ２０２の両端に接続されている。具体的に説明すると、抵抗器２１１の一端が、主コンデンサ２０２の正極端子２６１に電気的に接続され、抵抗器２１１の他端がトリガコンデンサ２１２の一端に電気的に接続されている。トリガコンデンサ２１２の他端が、トリガコイル２１３の１次側端子２３３に電気的に接続され、トリガコイル２１３のグラウンド端子２３５が、主コンデンサ２０２の負極端子２６２にグラウンド導体２７０を介して電気的に接続されている。トリガコイル２１３の２次側端子２３４は、反射笠２０５に電気的に接続されている。
【００２３】
倍電圧回路２０６において、コンデンサ２２１とダイオード２２２とが並列接続されており、この並列回路が抵抗器２１１と放電管２０４の陰極端子２４２との間に電気的に接続されている。また、抵抗器２２３が放電管２０４の陰極端子２４２と主コンデンサ２０２の負極端子２６２（即ちグラウンド導体２７０）との間に電気的に接続されている。
【００２４】
ＩＧＢＴ２０７のコレクタ端子２５１は、コンデンサ２２１及びダイオード２２２からなる並列回路と、抵抗器２１１との間に電気的に接続されている。ＩＧＢＴ２０７のエミッタ端子２５２は、主コンデンサ２０２の負極端子２６２（即ちグラウンド導体２７０）に電気的に接続されている。
【００２５】
主コンデンサ２０２の正極端子２６１は、放電管２０４の陽極端子２４１に電気的に導通し、負極端子２６２は、グラウンド導体２７０に電気的に導通している。また、トリガコイル２１３の２次側端子２３４は反射笠２０５に電気的に導通し、トリガコイル２１３のグラウンド端子２３５は、グラウンド導体２７０に電気的に導通している。トリガコイル２１３の１次側端子２３３は、１次コイル２３１及びグラウンド端子２３５を介してグラウンド導体２７０に電気的に導通している。
【００２６】
また、ＩＧＢＴ２０７のコレクタ端子２５１は、ダイオード２２２を介して放電管２０４の陰極端子２４２に電気的に導通しており、エミッタ端子２５２は、グラウンド導体２７０に電気的に導通している。
【００２７】
なお、ＩＧＢＴ２０７のゲート端子２５３には、ＩＧＢＴ２０７をオンオフする制御信号を出力する不図示の駆動回路（ＩＣ）が接続されている。ＩＧＢＴ２０７は、ゲート端子２５３においてハイレベル又はローレベルの制御信号の入力を受けることでオンオフし、トリガコイル２１３の１次側端子２３３への通電を制御すると共に、主コンデンサ２０２から放電管２０４への通電を制御する。
【００２８】
具体的に説明すると、ＩＧＢＴ２０７は、ゲート端子２５３に印加された制御信号がローレベルのとき、オフ状態となる。これにより、主コンデンサ２０２が電源昇圧回路２０１により充電される。このとき、抵抗器２１１を通してトリガコンデンサ２１２及びコンデンサ２２１も充電される。
【００２９】
また、ＩＧＢＴ２０７は、ゲート端子２５３に印加された制御信号がハイレベルのとき、オン状態となる。これにより、ＩＧＢＴ２０７のコレクタ端子２５１がローレベルとなり、トリガコンデンサ２１２に蓄えられた電荷が、トリガコイル２１３の１次側端子２３３を通じて１次コイル２３１に通電される。この通電によって、トリガコイル２１３の２次コイル２３２に高圧のトリガ電圧が誘起される。この２次側端子２３４に生じたトリガ電圧が、２次側端子２３４を通じて反射笠２０５に印加され、放電管２０４がトリガ電圧により励起される。
【００３０】
このとき、倍電圧回路２０６もオンすることで、放電管２０４の電極端子２４１，２４２間には、主コンデンサ２０２の端子間電圧の２倍の電圧（つまり主コンデンサ２０２とコンデンサ２２１の合計の電圧）が印加される。
【００３１】
そして、主コンデンサ２０２の充電電荷が放電管２０４、ダイオード２２２、ＩＧＢＴ２０７を通って放電されると共に、コンデンサ２２１の充電電荷が抵抗器２２３を通して放電される。これにより、放電管２０４は発光動作を開始する。
【００３２】
図３は、閃光装置２００におけるストロボユニット１０２を示す断面図である。図３（ａ）は、図３（ｂ）のＢ−Ｂ線に沿う（Ｙ方向から見た）ストロボユニット１０２の断面図、図３（ｂ）は、図３（ａ）のＡ−Ａ線に沿う（Ｘ方向から見た）ストロボユニット１０２の断面図である。
【００３３】
ストロボユニット１０２は、開口３０１ａを有する電気的に絶縁性の絶縁体で構成された外装３０１と、外装３０１の開口３０１ａを塞ぐように設けられたフレネルパネル等の透光性のパネル３０２とを有している。このパネル３０２も電気的に絶縁性の絶縁体で構成されている。
【００３４】
また、ストロボユニット１０２は、上述した放電管２０４、反射笠２０５及びトリガコイル２１３も有しており、これら放電管２０４、反射笠２０５及びトリガコイル２１３が外装３０１の内部に収納されている。
【００３５】
パネル３０２は、正面視で略長方形状に形成されており、外装３０１の開口３０１ａも略長方形状に形成されている。そして、パネル３０２が開口３０１ａに嵌め込まれている。パネル３０２は、透光性を有する部材で形成されているが、透光性を有するとは、透明な状態の他、すりガラスのような半透明な状態も含むものである。
【００３６】
ここで、パネル３０２は外装３０１との噛み合わせ構造により外装３０１に固定されている。この噛み合わせ構造により外装３０１とパネル３０２とを組み合わせたときに、ズレが生じることを防いでいる。また、このズレを防ぐため、粘着性の樹脂や接着材による固定、内装部材からの押圧による固定などがされる。
【００３７】
放電管２０４は、棒状に形成されており、放電管２０４の長手方向とパネル３０２の長手方向とが平行となるように、パネル３０２に対向して配置されている。したがって、放電管２０４の照射光はパネル３０２を透過して被写体に照射される。
【００３８】
反射笠２０５は、放電管２０４に対してパネル３０２側とは反対側に配置され、放電管２０４を囲むように湾曲して形成され、放電管２０４より発せられた光をパネル３０２の側に反射するように、放電管２０４に隣接して配置されている。
【００３９】
トリガコイル２１３は、反射笠２０５の反射面２０５ａとは反対側の面２０５ｂに対向して配置されている。トリガコイル２１３は、柱状に形成されており、柱状の一方の端面に１次側端子２３３及びグラウンド端子２３５が外部に露出して配置されており、他方の端面に２次側端子２３４が外部に露出して配置されている。そしてトリガコイル２１３は、トリガコイル２１３の長手方向とパネル３０２の長手方向とが平行となるように配置されている。
【００４０】
トリガコイル２１３の２次側端子２３４は、ケーブル３１２を介して反射笠２０５に電気的に接続され、１次側端子２３３は、ケーブル３１１を介して図３で不図示のトリガコンデンサ２１２（図２）に電気的に接続されている。また、トリガコイル２１３のグラウンド端子２３５は、ケーブル３１３を介して図３で不図示のグラウンド導体２７０（図２）に電気的に接続されている。
【００４１】
ここで、図１４に示す比較例の閃光装置の回路図を用いて、誤動作問題に関わる静電気伝搬経路について説明する。図１４において、伝搬する静電気放電をＥＳＤ１、ＥＳＤ２、ＥＳＤ３で示している。まず、外部から印加された静電気であるＥＳＤ１は、反射笠２０５に到達する。反射笠２０５に侵入した静電気は電気的に接続されたトリガコイル２１３の２次側端子２３４へ流入する。ここで、トリガコイル２１３の２次コイル２３２のインダクタンスは数ｍＨと高い値であるため、静電気は２次コイル２３２を流れず、周辺の金属部へ２次放電によって伝搬することとなる。したがって、反射笠２０５からの２次放電による静電気として、ＥＳＤ２、ＥＳＤ３がある。
【００４２】
即ち、ＥＳＤ２は、反射笠２０５からの２次放電により、トリガコイル２１３の１次側端子２３３へ到達し、１次コイル２３１を介して、グラウンド端子２３５へ到達し、ＩＧＢＴ２０７が接続されるグラウンド導体２７０へ伝搬する。
【００４３】
また、ＥＳＤ３は、反射笠２０５からの２次放電により、トリガコイル２１３のグラウンド端子２３５へ到達し、ＩＧＢＴ２０７が接続されるグラウンド導体２７０へ伝搬する。
【００４４】
従って、グラウンド導体２７０のグラウンド電位の変動により、ＩＧＢＴ２０７がオンする、またはＩＧＢＴ２０７を駆動する不図示の駆動回路（ＩＣ）がオンすることで、放電管２０４が誤発光することがある。
【００４５】
そこで、第１実施形態では、図３（ａ）及び図３（ｂ）に示すように、閃光装置２００のストロボユニット１０２は、パネル３０２と外装３０１との隙間に沿って配置された導体３０３を有している。導体３０３は、パネル３０２と外装３０１との隙間に、外来ノイズ（静電気放電）を受けたときに、陽極端子２４１及び陰極端子２４２のうち、少なくとも一方の電極端子（第１実施形態では陰極端子２４２）に外来ノイズを放電するよう設けられている。
【００４６】
図４は、導体３０３と、陰極端子２４２、反射笠２０５、１次側端子２３３、２次側端子２３４及びグラウンド端子２３５との距離の関係を示す説明図である。
【００４７】
ここで、導体３０３と陰極端子２４２との最短距離を距離ＤＡ、導体３０３と反射笠２０５との最短距離を距離ＤＢ、導体３０３と１次側端子２３３との最短距離を距離ＤＣとする。また、導体３０３とグラウンド端子２３５との最短距離を距離ＤＤ、導体３０３と２次側端子２３４との最短距離を距離ＤＥとする。
【００４８】
第１実施形態では、導体３０３は、陰極端子２４２、反射笠２０５、１次側端子２３３、２次側端子２３４及びグラウンド端子２３５のいずれに対しても非接触状態であり、空間的に離間しており、電気的に導通していない。そして、距離ＤＡは、他の距離ＤＢ，ＤＣ，ＤＤ，ＤＥよりも小さい。即ち、導体３０３は、反射笠２０５、１次側端子２３３、２次側端子２３４及びグラウンド端子２３５よりも陰極端子２４２に近い。
【００４９】
このとき、距離ＤＡは、導体３０３から陰極端子２４２へ空間を介して放電可能な距離に設定すればよい。即ち、導体３０３において陰極端子２４２に最も近接する部分と陰極端子２４２との距離が、放電可能な距離（放電ギャップ）であればよい。
【００５０】
ここで、図５は、第１実施形態の閃光装置２００における静電気放電の経路を示す説明図である。
【００５１】
図５において、外部からの静電気はＥＳＤ４となる。ＥＳＤ４のように、外部から印加された静電気は、外装３０１とパネル３０２との隙間へ侵入する。そして前述の隙間に配置された導体３０３に到達する。導体３０３は他の金属部と接続がなされていないため、電位が上昇し、結果近くの別の導体へ放電する。
【００５２】
この時、図４に示す距離ＤＡ、距離ＤＢ、距離ＤＣ、距離ＤＤ、距離ＤＥの中で、距離ＤＡが最も短い距離を形成するため、放電によって導体３０３から陰極端子２４２へ静電気が伝搬する。そして、静電気は図５では不図示のＩＧＢＴ２０７（図２）へと流れていく。ＩＧＢＴ２０７へ流れた静電気の電気エネルギーは、ＩＧＢＴ２０７の持つ寄生容量Ｃや寄生ダイオードを介してＧＮＤへ流れる、或いはＩＧＢＴ２０７の寄生抵抗により熱エネルギーに変換される。したがって、静電気がトリガコイル２１３の１次側端子２３３又はグラウンド端子２３５を介してグラウンド導体２７０へ伝搬することを阻止することができる。これにより、放電管２０４の動作を制御するＩＧＢＴ２０７やＩＧＢＴ２０７を駆動するＩＣ（駆動回路）の誤動作を避けることができる。
【００５３】
なお、ＥＳＤ４において、放電管２０４の陰極端子２４２に静電気が流入することで陰極端子２４２が高電圧となり、陰極端子２４２から導体３０３へ放電する可能性が考えられる。しかし、導体３０３は、閃光装置内に位置するどの金属部に対しても電気的に独立している（接触していない）ため、グラウンドに対してインピーダンスの高い導体となっている。
【００５４】
したがって、陰極端子２４２の電位上昇とともに電界結合により同様に導体３０３も電位が上昇し、陰極端子２４２と導体３０３と間での急峻かつ大きな電位差の発生を防ぐことができる。このため、陰極端子２４２から導体３０３への放電を阻止し、これによる誤動作や破壊も未然に防ぐことができる。
【００５５】
このように、第１実施形態では、隙間から流入する静電気を導体３０３で受け、放電管２０４の陰極端子２４２に静電気を誘導することで、ＩＧＢＴ２０７が接続されたグラウンド導体２７０へ静電気が伝搬することを阻止することができる。また、隙間に配置される導体３０３がどの金属部に対しても電気的に独立した導体であるため、静電気流入に伴う陰極端子２４２からの放電も避けることができる。したがって、放電管２０４が誤発光することを避けることができる。
【００５６】
図６は、ストロボユニット１０２の要部のみを示す斜視図である。図６に示すように、導体３０３は、本体部３３１と突出部３３２とを有している。
【００５７】
本体部３３１は、パネル３０２と外装３０１との隙間に沿って配置されており、より具体的に説明すると、パネル３０２と外装３０１との間に挟まれて配置されている。そして、本体部３３１は、帯状に形成されており、パネル３０２の外周縁に沿って配置されている。
【００５８】
突出部３３２は、本体部３３１から陰極端子２４２に突出するように形成されている。突出部３３２は、本体部３３１と一体に形成されていてもよいし、本体部３３１に圧接あるいははんだや接着剤等で接合してもよい。接合の際には、本体部３３１と突出部３３２とが電気的に導通するようにすればよい。また、本体部３３１と一体に形成されている場合には、帯状の導体の端部を屈曲させるなどして突出部３３２を形成してもよい。また、板金で本体部３３１と突出部３３２とを一体に形成してもよい。このように導体３０３が本体部３３１から突出する突出部３３２を有しているので、導体３０３の本体部３３１に放電された静電気は、突出部３３２を通じて陰極端子２４２へ放電しやすくなる。
【００５９】
本体部３３１は、無端状に構成されている。例えば、本体部３３１は、帯状の導体を無端状に一体に形成したものであってもよいし、帯状の導体の一端部と他端部とを重ね合わせて圧接あるいははんだや接着剤等で接合してもよい。接合の際には、電気的に導通するようにすればよい。これにより、静電気の流入経路上に確実に導体３０３が配置される構造をとっている。
【００６０】
なお、外装３０１又はパネル３０２に対する導体３０３の固定は、いかなる手段を用いてもよい。例えば、外装３０１やパネル３０２に接着性の材料で固定する手段、外装３０１やパネル３０２に突起部を設けこれにより固定する手段、樹脂等の材料を外装３０１とパネル３０２の隙間に注入し固定する手段などを用いてもよい。
【００６１】
（実験例１）
外装３０１とパネル３０２の隙間に導体３０３を配置して、静電気を印加する実験を行った。実験は、外装３０１とパネル３０２との隙間に導体３０３を配置し、倍電圧回路２０６に接続された放電管２０４の陰極端子２４２へ静電気を誘導する構成をポップアップ式一眼レフカメラに適用したうえで、静電気の印加試験と実測を行った。
【００６２】
図７は、実験に用いた回路及び実験結果を示す説明図である。図７（ａ）に実験例１において適用した回路を示し、図７（ｂ）に実験結果を示している。図７（ａ）において、実測を行った実測箇所をＰ、導体３０３に印加された静電気をＥＳＤ５で示している。ここで、図７（ａ）に示したＩＧＢＴ２０７は、寄生容量Ｃをもつ。なお、図７（ａ）における実測箇所Ｐにおける電流の実測は、図５に示すケーブル３１３に流れる電流に対して行った。ケーブル３１３を流れる電流の測定は、電磁界の結合により電流量を測定する電流プローブを使用した。なお、静電気の印加は、国際規格ＩＥＣ６１０００−４−２に準拠する試験によって行った。
【００６３】
図７（ｂ）において、横軸に時間軸、縦軸にケーブル３１３に流れる電流を表している。図７（ｂ）において、電流が＋の時はトリガコイル２１３のグラウンド端子２３５からグラウンド導体２７０の向きに電流が流れることを示している。なお、比較のため隙間に導体３０３を設置せずに静電気を印加した場合（比較例１）も示す。
【００６４】
図７（ｂ）において、白丸は、外装３０１とパネル３０２との隙間に導体３０３が配置された実験例１の場合の実測結果である。黒四角は、導体３０３がない比較例１の場合の実測結果である。
【００６５】
ケーブル３１３に流れる電流の実測結果について述べる。図７（ｂ）に示すように、実験例１は比較例１に比べてその電流の値が小さいことが分かる。従って、実験例１において、導体３０３を外装３０１とパネル３０２との隙間に配置することで、ケーブル３１３に流れる電流を抑制できることがわかる。
【００６６】
次に、実験例１におけるＥＳＤ５の伝搬について説明する。外部から印加された静電気であるＥＳＤ５は導体３０３に到達する。導体３０３は他の金属部と接続がなされていないため、電位が上昇し、結果導体３０３の近くに配置される陰極端子２４２へ放電により伝搬する。陰極端子２４２には、倍電圧回路２０６のダイオード２２２が順方向に接続されているので、静電気はこのダイオード２２２を介してＩＧＢＴ２０７へ流入する。ＩＧＢＴ２０７へ流入したＥＤＳ５（静電気）は、ＩＧＢＴ２０７の持つ寄生容量Ｃや不図示の寄生ダイオードを介してＧＮＤへ流れる、或いはＩＧＢＴ２０７の持つ不図示の抵抗成分により熱として消費されることとなる。
【００６７】
従って図７（ｂ）記載の結果より、外装３０１とパネル３０２の隙間に導体３０３を設置し、放電管２０４の陰極端子２４２に静電気を誘導することで、トリガコイル２１３の各端子２３３，２３４，２３５に静電気が飛ぶことを抑制できることがわかった。よって、放電管２０４の誤動作耐性を向上させていることが確認された。
【００６８】
また、隙間に配置された導体３０３を閃光装置２００のストロボユニット１０２内にあるどの金属部材に対しても電気的に独立した導体とすることで、静電気の侵入がない時には放電管２０４の電極端子２４１，２４２と導体３０３との絶縁性が保たれる。したがって、放電管２０４の高電圧が励起する電極と閃光装置（ストロボユニット１０２）外部との距離が保たれ、閃光装置外部への不要な放電を抑制することができる。
【００６９】
さらに、隙間に配置された導体３０３が閃光装置内にあるどの金属部材に対しても電気的に独立していることは、閃光装置内部で高電圧が誘起する金属部から、隙間に配置した導体３０３への不要な放電も回避できる。したがって、隙間に配置する導体３０３が放電管２０４の動作に弊害を与えることも抑制することができる。これらによって、極めて簡単な構成によってＩＧＢＴ２０７の誤動作を回避することができる。
【００７０】
［第２実施形態］
次に本発明の第２実施形態に係る閃光装置について説明する。図８は、第２実施形態に係る閃光装置を示す説明図である。図８（ａ）は、閃光装置のストロボユニットを示す断面図であり、図８（ｂ）は、閃光装置を示す回路図である。
【００７１】
なお、第２実施形態において、導体３０３Ａ以外の構成は、上記第１実施形態と同様であり、第２実施形態において、上記第１実施形態と同様の構成については、同一符号を付して説明を省略する。ここで、ＩＧＢＴ２０７の保護の観点から、陰極端子２４２に静電気を放電するよりも、陽極端子２４１に静電気を放電するように構成するのが好ましい。
【００７２】
第２実施形態では、図８（ａ）に示す導体３０３Ａは、外来ノイズ（静電気放電）を受けたときに、放電管２０４の電極端子２４１，２４２のうち、陽極端子２４１に外来ノイズを放電するものである。つまり、導体３０３Ａは、他のどの金属部材よりも陽極端子２４１に近接している。そして、導体３０３Ａは、上記第１実施形態と同様の本体部３３１と、上記第１実施形態とは配置が異なる突出部３３２Ａとを有している。突出部３３２Ａは、放電管２０４の電極端子２４１，２４２のうち、陽極端子２４１に向かって突出している。
【００７３】
即ち、上記第１実施形態では、突出部３３２は、陰極端子２４２に向かって突出していたが、第２実施形態では、突出部３３２Ａは、陽極端子２４１に向かって突出している。
【００７４】
以上の構成により、図８（ａ）及び図８（ｂ）において、外部から印加された静電気であるＥＳＤ６は外装３０１とパネル３０２との隙間へ侵入する。そして隙間に配置された導体３０３Ａに到達する。導体３０３Ａは他の金属部に対して電気的に独立しているため、電位が上昇し結果近くの導体へ放電する。この導体３０３Ａにおいて突出部３３２Ａが最も陽極端子２４１の近くに位置しているため、静電気が突出部３３２Ａからの放電によって陽極端子２４１へ伝搬する。
【００７５】
陽極端子２４１へ到達したＥＳＤ６は、図８（ｂ）に示すように、主コンデンサ２０２や抵抗器２１１に到達し、減衰する。つまり、主コンデンサ２０２においては、静電気を充電することとなり、抵抗器２１１においては、静電気の電気エネルギーを熱エネルギーとして消費することとなる。したがって、ＥＳＤ６がトリガコイル２１３の１次側端子２３３、２次側端子２３４、グラウンド端子２３５、又は反射笠２０５を介して、グラウンド導体２７０へ伝搬することを阻止することができる。よって、放電管２０４の動作を制御するＩＧＢＴ２０７やＩＧＢＴ２０７を駆動する駆動回路（ＩＣ）の誤動作を避けることができる。
【００７６】
［第３実施形態］
次に本発明の第３実施形態に係る閃光装置について説明する。図９は、第３実施形態に係る閃光装置のストロボユニットを示す断面図である。なお、第３実施形態において、導体３０３Ｂ以外の構成は、上記第１実施形態と同様であり、第３実施形態において、上記第１実施形態と同様の構成については、同一符号を付して説明を省略する。
【００７７】
導体３０３Ｂは、外装３０１とパネル３０２との隙間に沿って配置され、外来ノイズ（静電気放電）を受けたときに、放電管２０４の電極端子２４１，２４２のうち、陰極端子２４２に外来ノイズを放電するものである。
【００７８】
具体的に説明すると、導体３０３Ｂは、上記第１実施形態と同様の本体部３３１と、本体部３３１から陰極端子２４２に向かって突出する突出部３３２Ｂと、を有している。突出部３３２Ｂは、先端が先細る形状に形成されている。即ち、突出部３３２Ｂの先端が尖っている。
【００７９】
以下、突出部３３２Ｂについて説明する。２つの導体間で放電が発生するためには、２つの導体間で大きな電位差が発生しなければならない。この放電が開始する電位差は２つの導体の形状によっても変化することが一般的に知られており、例えば針電極などを用いた場合、先端に極端に高い電界が現れ、２つの導体間の電位差が大きくなり放電が発生する。したがって、図９に示すように、突出部３３２Ｂの先端が先細る形状であるので、放電がより発生しやすくなる。
【００８０】
即ち、図９において、外部から印加された静電気は、外装３０１とパネル３０２との隙間へ侵入する。そして隙間に配置された導体３０３Ｂの本体部３３１に到達する。導体３０３Ｂは他の金属部に対して電気的に独立しているため、静電気の流入により電位が上昇する。このとき導体３０３Ｂの突出部３３２Ｂの先端が先鋭形状であるので、突出部３３２Ｂの先端に局所的に強い電界が発生し、突出部３３２Ｂの先端から陰極端子２４２へ放電が発生する。したがって、静電気がトリガコイル２１３の１次側端子２３３、２次側端子２３４、グラウンド端子２３５又は反射笠２０５を介してグラウンド導体へ伝搬することを阻止することができる。よって、放電管２０４の動作を制御するＩＧＢＴ２０７やＩＧＢＴ２０７を駆動する不図示の駆動回路（ＩＣ）の誤動作を避けることができる。
【００８１】
このように、第３実施形態の構成をとることで、より確実に放電管２０４の陰極端子２４２へ静電気を誘導し、静電気がトリガコイル２１３の各端子２３３，２３４，２３５へ侵入することを阻止することができる。したがって、第３実施形態の構成をとることで、より高い誤動作抑制効果を得ることができる。
【００８２】
［第４実施形態］
次に本発明の第４実施形態に係る閃光装置について説明する。図１０は、第４実施形態に係る閃光装置のストロボユニットを示す断面図である。なお、第４実施形態において、導体３０３Ｃ及び陰極端子２４２Ｃ以外の構成は、上記第１実施形態と同様であり、第４実施形態において、上記第１実施形態と同様の構成については、同一符号を付して説明を省略する。
【００８３】
導体３０３Ｃは、外装３０１とパネル３０２との隙間に沿って配置され、外来ノイズ（静電気放電）を受けたときに、放電管２０４の電極端子２４１，２４２Ｃのうち、陰極端子２４２Ｃに外来ノイズを放電するものである。この導体３０３Ｃは、上記第１実施形態の本体部３３１と同様の構成である。即ち、導体３０３Ｃは、上記第１実施形態の導体３０３において、突出部３３２がない状態のものである。
【００８４】
第４実施形態では、陰極端子２４２Ｃは、導体３０３Ｃに向かって突出する突出片２４３Ｃを有している。そして、導体３０３Ｃと突出片２４３Ｃとの距離が、導体３０３Ｃと他の導体との最短の距離よりも小さくなっている。
【００８５】
したがって、導体３０３Ｃに伝搬した静電気は、陰極端子２４２Ｃの突出片２４３Ｃに放電しやすくなる。これにより、静電気がトリガコイル２１３の１次側端子２３３、２次側端子２３４、グラウンド端子２３５又は反射笠２０５を介してグラウンド導体に伝搬することを阻止することができる。よって、放電管２０４の動作を制御するＩＧＢＴ２０７やＩＧＢＴ２０７を駆動する不図示の駆動回路（ＩＣ）の誤動作を避けることができる。
【００８６】
［第５実施形態］
次に本発明の第５実施形態に係る閃光装置について説明する。図１１は、第５実施形態に係る閃光装置のストロボユニットを示す断面図である。なお、第５実施形態において、導体３０３Ｄ及び陰極端子２４２Ｄ以外の構成は、上記第１実施形態と同様であり、第５実施形態において、上記第１実施形態と同様の構成については、同一符号を付して説明を省略する。
【００８７】
導体３０３Ｄは、外装３０１とパネル３０２との隙間に沿って配置され、外来ノイズ（静電気放電）を受けたときに、放電管２０４の電極端子２４１，２４２Ｄのうち、陰極端子２４２Ｄに外来ノイズを放電するものである。この導体３０３Ｄは、上記第１実施形態の本体部３３１と同様の構成である。即ち、導体３０３Ｄは、上記第１実施形態の導体３０３において、突出部３３２がない状態のものである。
【００８８】
第５実施形態では、陰極端子２４２Ｄは、導体３０３Ｄに向かって突出する突出片２４３Ｄを有している。そして、導体３０３Ｄと突出片２４３Ｄとの距離が、導体３０３Ｄと他の導体との最短の距離よりも小さくなっている。
【００８９】
更に、第５実施形態では、突出片２４３Ｄは、先端が先細る形状に形成されている。即ち、突出片２４３Ｄの先端が尖っている。これにより、導体３０３Ｄに伝搬した静電気は、突出片２４３Ｄに放電されやすくなる。
【００９０】
したがって、静電気がトリガコイル２１３の１次側端子２３３、２次側端子２３４、グラウンド端子２３５又は反射笠２０５を介してグラウンド導体へ伝搬することを効果的に阻止することができる。よって、放電管２０４の動作を制御するＩＧＢＴ２０７やＩＧＢＴ２０７を駆動する不図示の駆動回路（ＩＣ）の誤動作を避けることができる。
【００９１】
［第６実施形態］
次に本発明の第６実施形態に係る閃光装置について説明する。図１２は、第６実施形態に係る閃光装置のストロボユニットを示す断面図である。図１２（ａ）は、図１２（ｂ）のＤ−Ｄ線に沿う（Ｙ方向から見た）ストロボユニットの断面図、図１２（ｂ）は、図１２（ａ）のＣ−Ｃ線に沿う（Ｘ方向から見た）ストロボユニットの断面図である。なお、第６実施形態において、導体３０３Ｅ以外の構成は、上記第１実施形態と同様であり、第６実施形態において、上記第１実施形態と同様の構成については、同一符号を付して説明を省略する。
【００９２】
上記第１実施形態では、導体３０３は外装３０１とパネル３０２の間の隙間に配置されている場合について説明したが、図１２に示すように、導体３０３Ｅを隙間に沿って配置してもよい。図１２では、導体３０３Ｅは、隙間を塞ぐように配置されている。また、第６実施形態においても、導体３０３Ｅと陽極端子２４１（又は陰極端子２４２）との最短距離は、導体３０３Ｅと他の導体との最短距離よりも小さい。このように、導体３０３Ｅが突出部を有していない場合であってもよく、静電気を陽極端子２４１又は陰極端子２４２に放電できればよい。
【００９３】
［第７実施形態］
次に、本発明の第７実施形態に係る閃光装置を備えた撮像システムについて説明する。図１３は、本発明の第７実施形態に係る閃光装置を備えた撮像システムを示す斜視図である。
【００９４】
上記第１〜第６実施形態では、閃光装置は、撮像装置本体に内蔵された場合について説明したが、本第７実施形態では、撮像装置としてのカメラ１００Ｆに外付けされている。即ち、撮像システム５００は、カメラ１００Ｆと、カメラ１００Ｆに外付けされた閃光装置２００Ｆとを備えている。
【００９５】
閃光装置２００Ｆは、上記第１〜第６実施形態で説明した閃光装置と同様の構成であり、カメラ１００Ｆ（具体的には、カメラの制御装置）に電気的に接続されている。閃光装置２００Ｆは、放電管２０４、反射笠２０５及びトリガコイル２１３（図２）を内蔵した発光部２８０と、電源昇圧回路２０１（図２）に接続される電池が収容される本体部２９０とを備えている。以上のカメラ１００Ｆの外部に設けた閃光装置２００Ｆにおいても、上記第１〜第６実施形態と同様、放電管の誤発光を防ぐことができるという効果を奏する。
【００９６】
なお、カメラ１００Ｆには、上記第１〜第６実施形態と同様の構成の閃光装置が内蔵されていてもよい。また、閃光装置２００Ｆが、カメラ１００Ｆに対して外付けされる場合について説明したが、これに限定されるものではなく、カメラ１００Ｆとは別体に設けられ、ケーブル等で電気的に接続されていてもよい。
【００９７】
なお、本発明は、以上説明した実施形態に限定されるものではなく、多くの変形が本発明の技術的思想内で当分野において通常の知識を有する者により可能である。
【００９８】
上記実施形態では、スイッチング素子が半導体スイッチング素子の一例としてＩＧＢＴである場合について説明したが、これに限定するものではなく、その他の半導体スイッチング素子であってもよい。例えばスイッチング素子が、バイポーラトランジスタ、ＦＥＴ（例えばＭＯＳＦＥＴ）、サイリスタ等であってもよい。
【００９９】
スイッチング素子がバイポーラトランジスタの場合、主端子はコレクタ端子、基準端子はエミッタ端子、制御端子はベース端子である。また、スイッチング素子がＦＥＴの場合、主端子はソース端子、基準端子はドレイン端子、制御端子はゲート端子である。また、スイッチング素子がサイリスタの場合、主端子はアノード端子、基準端子はカソード端子、制御端子はゲート端子である。
【０１００】
また、上記第２実施形態において、突出部３３２Ａの先端が、上記第３実施形態と同様に先細り形状であってもよく、この場合も放電管２０４の陽極端子２４１に静電気が放電しやすくなる。したがって、効果的に放電管２０４の誤発光を防止することができる。
【０１０１】
また、上記第４実施形態では、放電管２０４の陰極端子２４２Ｃが導体３０３Ｃへ向かって突出片２４３Ｃを有する場合について説明したが、放電管の陽極端子が導体３０３Ｃへ向かって突出する突出片を有する場合であってもよい。この場合に、上記第５実施形態と同様に、突出片の先端が先細り形状であるのが好ましい。以上の構成により、放電管の陽極端子に静電気が放電しやすくなる。したがって、効果的に放電管の誤発光を防止することができる。
【０１０２】
また、上記第１〜第３実施形態では、突出部が１つの場合について説明したが、隙間に配置される導体が、放電管の陽極端子及び陰極端子にそれぞれ突出する２つの突出部を有していてもよい。
【０１０３】
同様に、上記第４、第５実施形態では、放電管の陽極端子及び陰極端子のいずれか一方の電極端子が突出片を有する場合について説明したが、双方の電極端子が突出片を有していてもよい。
【０１０４】
また、上記第１〜第５実施形態では、導体が突出部を有するか、又は放電管の電極端子が突出片を有する場合について説明したが、導体が突出部を有すると共に、放電管の電極端子が突出片を有する場合であってもよい。
【０１０５】
また、上記第１〜第６実施形態では、導体３０３〜３０３Ｅと放電管の電極端子との最短の距離が、導体３０３〜３０３Ｅと他の導体との最短の距離よりも小さい場合について説明したが、これに限定するものではない。例えば反射笠、トリガコンデンサの各端子が静電気に対してシールドされる構成の場合には、導体３０３〜３０３Ｅと放電管の電極端子との最短距離が、導体３０３〜３０３Ｅとシールドされている導体との最短距離よりも必ずしも小さくなくてもよい。
【符号の説明】
【０１０６】
１００…カメラ（撮像装置）、２００…閃光装置、２０２…主コンデンサ、２０３…トリガ回路、２０４…放電管、２０５…反射笠、２０７…ＩＧＢＴ（スイッチング素子）、２１１…抵抗器、２１２…トリガコンデンサ、２１３…トリガコイル、２３１…１次コイル、２３２…２次コイル、２３３…１次側端子、２３４…２次側端子、２３５…グラウンド端子、２４１…陽極端子、２４２…陰極端子、２５１…コレクタ端子（主端子）、２５２…エミッタ端子（基準端子）、２５３…ゲート端子（制御端子）、２６１…正極端子（第１端子）、２６２…負極端子（第２端子）、２７０…グラウンド導体、３０１…外装、３０１ａ…開口、３０２…パネル、３０３…導体、５００…撮像システム
【図１】
2015025970.tif 000003
【図２】
2015025970.tif 000004
【図３】
2015025970.tif 000005
【図４】
2015025970.tif 000006
【図５】
2015025970.tif 000007
【図６】
2015025970.tif 000008
【図７】
2015025970.tif 000009
【図８】
2015025970.tif 000010
【図９】
2015025970.tif 000011
【図１０】
2015025970.tif 000012
【図１１】
2015025970.tif 000013
【図１２】
2015025970.tif 000014
【図１３】
2015025970.tif 000015
【図１４】
2015025970.tif 000016